(57)【要約】      （修正有）【課題】体力や年齢などにより軽い運動を所望する人が、多種類のスポーツでの打撃時における醍醐味を感得しながら軽い運動を楽しむことのできる運動装置を提供する。【解決手段】左右に位置する支持部２と、支持部に張設された索条部３と、索条部に沿って左右に移動自在に取付けられた上向き可動部４と、上向き可動部に設けられた多少の弾性を有する上向き支持棒部５と、上向き支持棒部に設けられた上方被打撃用ボール部６から構成され、上方被打撃用ボール部におけるボールを打撃することで、上向き可動部が索条部に沿って左右に移動するよう構成されている。【選択図】図１
0003109483.tif 000002
【実用新案登録請求の範囲】
【請求項１】
左右に位置する支持部（２）と、支持部に張設された索条部（３）と、索条部に沿って左右に移動自在に取付けられた上向き可動部（４）と、上向き可動部から上方に向け起立連設された多少の弾性を有する上向き支持棒部（５）と、上向き支持棒部の上端に取付けられた上方被打撃用ボール部（６）から構成され、上方被打撃用ボール部におけるボールを打撃することで、上向き可動部が索条部に沿って左右に移動するよう構成されていることを特徴とする運動装置。
【請求項２】
左右に位置する支持部（２）と、支持部に張設された索条部（３）と、索条部に沿って左右に移動自在に取付けられた上向き可動部（４）と、上向き可動部から上方に向け起立連設された多少の弾性を有する上向き支持棒部（５）と、上向き支持棒部の上端に取付けられた上方被打撃用ボール部（６）から構成され、
Ａ．支持部（２）は、所定間隔をもって配設された左方の支持体（２Ａ）と右方の支持体（２Ａ）から構成され、
Ｂ．索条部（３）は、左方の索条支持金具（３Ａ）と右方の索条支持金具（３Ｂ）と、上方索条（３Ｃ）と下方索条（３Ｄ）から構成され、左方の索条支持金具（３Ａ）は、左方の支持体（２Ａ）における支柱（２Ａ２）に昇降自在に構成され、右方の索条支持金具（３Ｂ）は、右方の支持体（２Ａ）における支柱（２Ａ２）に昇降自在に構成され、上方索条（３Ｃ）と下方索条（３Ｄ）は、左方の索条支持金具（３Ａ）と右方の索条支持金具（３Ｂ）に平行状態で張設され、
Ｃ．上向き可動部（４）は、フレーム（４Ａ）と下左方滑車（４Ｂ）と下右方滑車（４Ｃ）と上中央滑車（４Ｄ）から構成され、フレーム（４Ａ）は、平面平行に支持された前方正面板（４Ａ１）と後方正面板（４Ａ２）から構成され、下左方滑車（４Ｂ）は、フレーム（４Ａ）における下左方部分に前後方向をもって取付けられた軸（４Ｂ１）と、この軸に回転自在に取付けられた滑車（４Ｂ２）から構成され、下右方滑車（４Ｃ）は、フレーム（４Ａ）における下右方部分に前後方向をもって取付けられた軸（４Ｃ１）と、この軸に回転自在に取付けられた滑車（４Ｃ２）から構成され、上中央滑車（４Ｄ）は、下左方滑車（４Ｂ）と下右方滑車（４Ｃ）間の中心の真上位置に前後方向をもって取付けられた軸（４Ｄ１）と、この軸に回転自在に取付けられた滑車（４Ｄ２）から構成され、下方索条（３Ｄ）の上面に下左方滑車（４Ｂ）と下右方滑車（４Ｃ）が位置し、上方索条（３Ｃ）の上面に上中央滑車（４Ｄ）が位置するよう構成され、
Ｄ．上向き支持棒部（５）は、上向き可動部（４）の上端中央から上方に向け起立連設された多少の弾力性を有する所定長さの棒状体で構成され、
Ｅ．上方被打撃用ボール部（６）は、上向き支持棒部（５）の上端に連結されたボール（６Ａ）で構成されていることを特徴とする運動装置。
【請求項３】
左右に位置する支持部（２）と、支持部に張設された索条部（３）と、索条部に沿って左右に移動自在に取付けられた下向き可動部（４１）と、下向き可動部から下方に向け垂下連設された多少の弾性を有する下向き支持棒部（５１）と、下向き支持棒部の下端に取付けられた下方被打撃用ボール部（６１）から構成され、下方被打撃用ボール部におけるボールを打撃することで、下向き可動部が索条部に沿って左右に移動するよう構成されていることを特徴とする運動装置。
【請求項４】
左右に位置する支持部（２）と、支持部に張設された索条部（３）と、索条部に沿って左右に移動自在に取付けられた下向き可動部（４１）と、下向き可動部から下方に向け垂下連設された多少の弾性を有する下向き支持棒部（５１）と、下向き支持棒部の下端に取付けられた下方被打撃用ボール部（６１）から構成され、
Ａ．支持部（２）は、所定間隔をもって配設された左方の支持体（２Ａ）と右方の支持体（２Ａ）から構成され、
Ｂ．索条部（３）は、左方の索条支持金具（３Ａ）と右方の索条支持金具（３Ｂ）と、上方索条（３Ｃ）と下方索条（３Ｄ）から構成され、左方の索条支持金具（３Ａ）は、左方の支持体（２Ａ）における支柱（２Ａ２）に昇降自在に構成され、右方の索条支持金具（３Ｂ）は、右方の支持体（２Ａ）における支柱（２Ａ２）に昇降自在に構成され、上方索条（３Ｃ）と下方索条（３Ｄ）は、左方の索条支持金具（３Ａ）と右方の索条支持金具（３Ｂ）に平行状態で張設され、
Ｃ．下向き可動部（４１）は、フレーム（４１Ａ）と上左方滑車（４１Ｂ）と上右方滑車（４１Ｃ）と下中央滑車（４１Ｄ）から構成され、フレーム（４１Ａ）は、平面平行に支持された前方正面板（４１Ａ１）と後方正面板（４１Ａ２）から構成され、上左方滑車（４１Ｂ）は、フレーム（４１Ａ）における上左方部分に前後方向をもって取付けられた軸（４１Ｂ１）と、この軸に回転自在に取付けられた滑車（４１Ｂ２）から構成され、上右方滑車（４１Ｃ）は、フレーム（４１Ａ）における上右方部分に前後方向をもって取付けられた軸（４１Ｃ１）と、この軸に回転自在に取付けられた滑車（４１Ｃ２）から構成され、下中央滑車（４１Ｄ）は、上左方滑車（４１Ｂ）と上右方滑車（４１Ｃ）間の中心の真下位置に前後方向をもって取付けられた軸（４１Ｄ１）と、この軸に回転自在に取付けられた滑車（４１Ｄ２）から構成され、上方索条（３Ｃ）の上面に上左方滑車（４１Ｂ）と上右方滑車（４１Ｃ）が位置し、下方索条（３Ｄ）の上面に下中央滑車（４１Ｄ）が位置するよう構成され、
Ｄ．下向き支持棒部（５１）は、下向き可動部（４１）の下端中央から下方に向け垂下連設された多少の弾力性を有する所定長さの棒状体で構成され、
Ｅ．下方被打撃用ボール部（６１）は、下向き支持棒部（５１）の下端に連結されたボール（６１Ａ）で構成されていることを特徴とする運動装置。
【考案の詳細な説明】
【技術分野】
【０００１】
本考案は、新規な構成を有する運動装置に関するものである。
すなわち、体力や年齢などにより軽い運動を所望する人が、多種類のゲームの打撃時における醍醐味を感得しながら軽い運動を楽しむことのできるものである。
【背景技術】
【０００２】
従来のこの種の技術は、下記のようになっている。
軽い運動としてはゲートボールが提案され、多くの人が楽しんでいる。
また、電磁波または音波の直進及び反射を利用したゲートボール練習装置（特許文献１）やゴルフまたはゲートボール練習機（特許文献２）が提案されている。
【特許文献１】特開平０６−０４７１１７号公報
【特許文献２】特開平０６−０３１０２０号公報
【考案の開示】
【考案が解決しようとする課題】
【０００３】
従来の技術には、一応下記のような問題点を指摘することができる。
野球なら野球用具、ゴルフならゴルフ用具、ゲートボールならゲートボール用具を必要とするなど煩雑である。
【課題を解決するための手段】
【０００４】
本考案は、上述のような問題を解決するため、下記のようになるものである。
【０００５】
請求項１記載の考案は、左右に位置する支持部２と、支持部に張設された索条部３と、索条部に沿って左右に移動自在に取付けられた上向き可動部４と、上向き可動部から上方に向け起立連設された多少の弾性を有する上向き支持棒部５と、上向き支持棒部の上端に取付けられた上方被打撃用ボール部６から構成され、上方被打撃用ボール部におけるボールを打撃することで、上向き可動部が索条部に沿って左右に移動するよう構成されていることを特徴とするものである。
【０００６】
請求項２記載の考案は、左右に位置する支持部２と、支持部に張設された索条部３と、索条部に沿って左右に移動自在に取付けられた上向き可動部４と、上向き可動部から上方に向け起立連設された多少の弾性を有する上向き支持棒部５と、上向き支持棒部の上端に取付けられた上方被打撃用ボール部６から構成され、
Ａ．支持部２は、所定間隔をもって配設された左方の支持体２Ａと右方の支持体２Ａから構成され、
Ｂ．索条部３は、左方の索条支持金具３Ａと右方の索条支持金具３Ｂと、上方索条３Ｃと下方索条３Ｄから構成され、左方の索条支持金具３Ａは、左方の支持体２Ａにおける支柱２Ａ２に昇降自在に構成され、右方の索条支持金具３Ｂは、右方の支持体２Ａにおける支柱２Ａ２に昇降自在に構成され、上方索条３Ｃと下方索条３Ｄは、左方の索条支持金具３Ａと右方の索条支持金具３Ｂに平行状態で張設され、
Ｃ．上向き可動部４は、フレーム４Ａと下左方滑車４Ｂと下右方滑車４Ｃと上中央滑車４Ｄから構成され、
ｃ１．フレーム４Ａは、平面平行に支持された前方正面板４Ａ１と後方正面板４Ａ２から構成され、
ｃ２．下左方滑車４Ｂは、フレーム４Ａにおける下左方部分に前後方向をもって取付けられた軸４Ｂ１と、この軸に回転自在に取付けられた滑車４Ｂ２から構成され、
ｃ３．下右方滑車４Ｃは、フレーム４Ａにおける下右方部分に前後方向をもって取付けられた軸４Ｃ１と、この軸に回転自在に取付けられた滑車４Ｃ２から構成され、
ｃ４．上中央滑車４Ｄは、下左方滑車４Ｂと下右方滑車４Ｃ間の中心の真上位置に前後方向をもって取付けられた軸４Ｄ１と、この軸に回転自在に取付けられた滑車４Ｄ２から構成され、
ｃ５．下方索条３Ｄの上面に下左方滑車４Ｂと下右方滑車４Ｃが位置し、上方索条３Ｃの上面に上中央滑車４Ｄが位置するよう構成され、
Ｄ．上向き支持棒部５は、上向き可動部４の上端中央から上方に向け起立連設された多少の弾力性を有する所定長さの棒状体で構成され、
Ｅ．上方被打撃用ボール部６は、上向き支持棒部５の上端に連結されたボール６Ａで構成されていることを特徴とするものである。
【０００７】
請求項３記載の考案は、左右に位置する支持部２と、支持部に張設された索条部３と、索条部に沿って左右に移動自在に取付けられた下向き可動部４１と、下向き可動部から下方に向け垂下連設された多少の弾性を有する下向き支持棒部５１と、下向き支持棒部の下端に取付けられた下方被打撃用ボール部６１から構成され、下方被打撃用ボール部におけるボールを打撃することで、下向き可動部が索条部に沿って左右に移動するよう構成されていることを特徴とするものである。
【０００８】
請求項４記載の考案は、左右に位置する支持部２と、支持部に張設された索条部３と、索条部に沿って左右に移動自在に取付けられた下向き可動部４１と、下向き可動部から下方に向け垂下連設された多少の弾性を有する下向き支持棒部５１と、下向き支持棒部の下端に取付けられた下方被打撃用ボール部６１から構成され、
Ａ．支持部２は、所定間隔をもって配設された左方の支持体２Ａと右方の支持体２Ａから構成され、
Ｂ．索条部３は、左方の索条支持金具３Ａと右方の索条支持金具３Ｂと、上方索条３Ｃと下方索条３Ｄから構成され、左方の索条支持金具３Ａは、左方の支持体２Ａにおける支柱２Ａ２に昇降自在に構成され、右方の索条支持金具３Ｂは、右方の支持体２Ａにおける支柱２Ａ２に昇降自在に構成され、上方索条３Ｃと下方索条３Ｄは、左方の索条支持金具３Ａと右方の索条支持金具３Ｂに平行状態で張設され、
Ｃ．下向き可動部４１は、フレーム４１Ａと上左方滑車４１Ｂと上右方滑車４１Ｃと下中央滑車４１Ｄから構成され、
ｃ１．フレーム４１Ａは、平面平行に支持された前方正面板４１Ａ１と、後方正面板４１Ａ２から構成され、
ｃ２．上左方滑車４１Ｂは、フレーム４１Ａにおける上左方部分に前後方向をもって取付けられた軸４１Ｂ１と、この軸に回転自在に取付けられた滑車４１Ｂ２から構成され、
ｃ３．上右方滑車４１Ｃは、フレーム４１Ａにおける上右方部分に前後方向をもって取付けられた軸４１Ｃ１と、この軸に回転自在に取付けられた滑車４１Ｃ２から構成され、
ｃ４．下中央滑車４１Ｄは、上左方滑車４１Ｂと上右方滑車４１Ｃ間の中心の真下位置に前後方向をもって取付けられた軸４１Ｄ１と、この軸に回転自在に取付けられた滑車４１Ｄ２から構成され、
ｃ５．上方索条３Ｃの上面に上左方滑車４１Ｂと上右方滑車４１Ｃが位置し、下方索条３Ｄの上面に下中央滑車４１Ｄが位置するよう構成され、
Ｄ．下向き支持棒部５１は、下向き可動部４１の下端中央から下方に向け垂下連設された多少の弾力性を有する所定長さの棒状体で構成され、
Ｅ．下方被打撃用ボール部６１は、下向き支持棒部５１の下端に連結されたボール６１Ａで構成されていることを特徴とするものである。
【考案の効果】
【０００９】
本考案は、上述のように構成されているので、下記のような効果を期待することができる。
【００１０】
Ａ．使用方法の一例を説明する。
ａ．図１を参照して、左右に位置する人がテニスラケットを使用してボール６Ａを互いに相手側に打つ。
ｂ．図７を参照して、索条部３を傾斜した状態に支持して、テニスラケットを使用して上方に向けボール６Ａを打つ。
ｃ．図８を参照して、野球バットを使用してボール６Ａを打つ。
ｄ．図９を参照して、左右に位置する人がテニスラケットを使用してボール６１Ａを互いに相手側に打つ。
ｅ．図１５を参照して、ボール６１Ａをサッカーボールのように蹴る。
ｆ．上記ａ〜ｅのようにボールを打つと、上向き可動部４あるいは下向き可動部４１が移動することになる。
【００１１】
Ｂ．以上から、下記のような効果を期待することができる。
ａ．色々な使用方法で使用できる。
ｂ．使用する人の好みに応じた使用方法で使用できる。
ｃ．ボールが、可動部に固定された状態で索条部に沿って移動するよう構成されているから、当該ボールを強く打撃しても外部に飛び出すような心配はない。
【考案を実施するための最良の形態】
【００１２】
図面を参照して実施の形態の詳細を説明する。
【００１３】
１は本考案の運動装置で、左右に位置する支持部２と、支持部に張設された索条部３と、索条部に沿って左右に移動自在に取付けられた上向き可動部４と、上向き可動部から上方に向け起立連設された多少の弾性を有する上向き支持棒部５と、上向き支持棒部の上端に取付けられた上方被打撃用ボール部６から構成されている。
【００１４】
Ａ．支持部２は、所定間隔をもって配設された左方の支持体２Ａと右方の支持体２Ａから構成され、左方の支持体２Ａは、基礎２Ａ１とこの基礎に植設された支柱２Ａ２から構成され、右方の支持体２Ａは、基礎２Ａ１とこの基礎に植設された支柱２Ａ２から構成されている。
【００１５】
Ｂ．索条部３は、左方の索条支持金具３Ａと右方の索条支持金具３Ｂと、上方索条３Ｃと下方索条３Ｄから構成されている。
左方の索条支持金具３Ａは、左方の支持体２Ａにおける支柱２Ａ２に昇降自在に取付けられたパイプ３Ａ１と、パイプへの固定ボルト３Ａ２から構成されている。
右方の索条支持金具３Ｂは、右方の支持体２Ａにおける支柱２Ａ２に昇降自在に取付けられたパイプ３Ｂ１と、パイプへの固定ボルト３Ｂ２から構成されている。
上方索条３Ｃは、左方の索条支持金具３Ａと右方の索条支持金具３Ｂにおける上方部分に張設されている。
下方索条３Ｄは、左方の索条支持金具３Ａと右方の索条支持金具３Ｂにおける下方部分に上方索条３Ｃとは平行状態で張設されている。
【００１６】
Ｃ．上向き可動部４は、フレーム４Ａと下左方滑車４Ｂと下右方滑車４Ｃと上中央滑車４Ｄから構成されている。
ｃ１．フレーム４Ａは、平面平行に支持された略三角形の前方正面板４Ａ１と略三角形の後方正面板４Ａ２から構成されている。
ｃ２．下左方滑車４Ｂは、フレーム４Ａにおける下左方部分に前後方向をもって取付けられた軸４Ｂ１と、この軸に回転自在に取付けられた滑車４Ｂ２から構成されている。
ｃ３．下右方滑車４Ｃは、フレーム４Ａにおける下右方部分に前後方向をもって取付けられた軸４Ｃ１と、この軸に回転自在に取付けられた滑車４Ｃ２から構成されている。
【００１７】
ｃ４．上中央滑車４Ｄは、下左方滑車４Ｂと下右方滑車４Ｃ間の中心の真上位置に前後方向をもって取付けられた軸４Ｄ１と、この軸に回転自在に取付けられた滑車４Ｄ２から構成されている。
ｃ５．下左方滑車４Ｂ、下右方滑車４Ｃ、上中央滑車４Ｄと、上方索条３Ｃと下方索条３Ｄとの関係は、下記の通りである。
下方索条３Ｄの上面に下左方滑車４Ｂと下右方滑車４Ｃが位置し、上方索条３Ｃの上面に上中央滑車４Ｄが位置するよう構成されている。
図中、４Ｅは下左方滑車４Ｂ、下右方滑車４Ｃ、上中央滑車４Ｄの近傍に、軸４Ｂ１、４Ｃ１、４Ｄ１と平行に取付けられた索条からの滑車脱落防止ピンである。
【００１８】
Ｄ．上向き支持棒部５は、上向き可動部４の上端中央から上方に向け起立連設された多少の弾力性を有する所定長さの棒状体で構成されている。
なお、多少の弾力性を有する棒状体としては、硬質ゴムで構成した棒状体あるいはワイヤーの外周をゴムでコーティングした棒状体を使用するとよい。
Ｅ．上方被打撃用ボール部６は、上向き支持棒部５の上端に連結されたボール６Ａで構成されている。
【００１９】
１１は他の実施例の運動装置で、左右に位置する支持部２と、支持部に張設された索条部３と、索条部に沿って左右に移動自在に取付けられた下向き可動部４１と、下向き可動部から下方に向け垂下連設された多少の弾性を有する下向き支持棒部５１と、下向き支持棒部の下端に取付けられた下方被打撃用ボール部６１から構成されている。
【００２０】
Ａ．支持部２は、所定間隔をもって配設された左方の支持体２Ａと右方の支持体２Ａから構成され、左方の支持体２Ａは、基礎２Ａ１とこの基礎に植設された支柱２Ａ２から構成され、右方の支持体２Ａは、基礎２Ａ１とこの基礎に植設された支柱２Ａ２から構成されている。
【００２１】
Ｂ．索条部３は、左方の索条支持金具３Ａと右方の索条支持金具３Ｂと、上方索条３Ｃと下方索条３Ｄから構成されている。
左方の索条支持金具３Ａは、左方の支持体２Ａにおける支柱２Ａ２に昇降自在に取付けられたパイプ３Ａ１とパイプへの固定ボルト３Ａ２から構成されている。
右方の索条支持金具３Ｂは、右方の支持体２Ａにおける支柱２Ａ２に昇降自在に取付けられたパイプ３Ｂ１と、パイプへの固定ボルト３Ｂ２から構成されている。
上方索条３Ｃは、左方の索条支持金具３Ａと右方の索条支持金具３Ｂにおける上方部分に張設されている。
下方索条３Ｄは、左方の索条支持金具３Ａと右方の索条支持金具３Ｂにおける下方部分に、上方索条３Ｃとは平行状態で張設されている。
【００２２】
Ｃ．下向き可動部４１は、フレーム４１Ａと上左方滑車４１Ｂと上右方滑車４１Ｃと下中央滑車４１Ｄから構成されている。
ｃ１．フレーム４１Ａは、平面平行に支持された略逆三角形の前方正面板４１Ａ１と略逆三角形の後方正面板４１Ａ２から構成されている。
ｃ２．上左方滑車４１Ｂは、フレーム４１Ａにおける上左方部分に前後方向をもって取付けられた軸４１Ｂ１と、この軸に回転自在に取付けられた滑車４１Ｂ２から構成されている。
ｃ３．上右方滑車４１Ｃは、フレーム４１Ａにおける上右方部分に前後方向をもって取付けられた軸４１Ｃ１と、この軸に回転自在に取付けられた滑車４１Ｃ２から構成されている。
【００２３】
ｃ４．下中央滑車４１Ｄは、上左方滑車４１Ｂと上右方滑車４１Ｃ間の中心の真下位置に前後方向をもって取付けられた軸４１Ｄ１と、この軸に回転自在に取付けられた滑車４１Ｄ２から構成されている。
ｃ５．上左方滑車４１Ｂ、上右方滑車４１Ｃ、下中央滑車４１Ｄと、上方索条３Ｃと下方索条３Ｄとの関係は、下記の通りである。
上方索条３Ｃの上面に上左方滑車４１Ｂと上右方滑車４１Ｃが位置し、下方索条３Ｄの上面に下中央滑車４１Ｄが位置するよう構成されている。
図中、４１Ｅは上左方滑車４１Ｂ、上右方滑車４１Ｃ、下中央滑車４１Ｄの近傍に、軸４１Ｂ１、４１Ｃ１、４１Ｄ１と平行に取付けられた索条からの滑車脱落防止ピンである。
【００２４】
Ｄ．下向き支持棒部５１は、下向き可動部４１の下端中央から下方に向け垂下連設された多少の弾力性を有する所定長さの棒状体で構成されている。
なお、多少の弾力性を有する棒状体としては、硬質ゴムで構成した棒状体あるいはワイヤーの外周をゴムでコーティングした棒状体を使用するとよい。
Ｅ．下方被打撃用ボール部６１は、下向き支持棒部５１の下端に連結されたボール６１Ａで構成されている。
【図面の簡単な説明】
【００２５】
【図１】正面図である。
【図２】同上における要部拡大図である。
【図３】Ａ−Ａ線断面図である。
【図４】図１における要部拡大図である。
【図５】Ｂ−Ｂ線における要部拡大端面図である。
【図６】Ｃ−Ｃ線における要部拡大断面図である。
【図７】使用状態の一例を説明する正面図である。
【図８】使用状態の一例を説明する正面図である。
【図９】他の実施例の全体の正面図である。
【図１０】同上における要部拡大図である。
【図１１】Ｄ−Ｄ線断面図である。
【図１２】図９における要部拡大図である。
【図１３】Ｅ−Ｅ線における要部拡大端面図である。
【図１４】Ｆ−Ｆ線における要部拡大断面図である。
【図１５】使用状態の一例を説明する正面図である。
【符号の説明】
【００２６】
１  運動装置
２  支持部
３  索条部
４  上向き可動部
５  上向き支持棒部
６  上方被打撃用ボール部
１１  他の実施例の運動装置
４１  下向き可動部
５１  下向き支持棒部
６１  下方被打撃用ボール部
【図１】
0003109483.tif 000003
【図２】
0003109483.tif 000004
【図３】
0003109483.tif 000005
【図４】
0003109483.tif 000006
【図５】
0003109483.tif 000007
【図６】
0003109483.tif 000008
【図７】
0003109483.tif 000009
【図８】
0003109483.tif 000010
【図９】
0003109483.tif 000011
【図１０】
0003109483.tif 000012
【図１１】
0003109483.tif 000013
【図１２】
0003109483.tif 000014
【図１３】
0003109483.tif 000015
【図１４】
0003109483.tif 000016
【図１５】
0003109483.tif 000017